(57)【要約】  【課題】  損失水頭を小さくするために、水流方向に対して栓胴を傾斜させた、逆流防止型の止水栓において、栓の内部部品の交換などのために、簡単に栓内の流水を止めうる、傾斜型で多機能の止水栓を提供する。  【解決手段】  栓本体１の栓胴５は、流れの方向に対して約４５度傾斜している。栓胴５内には、コンルバネ１２で背面から付勢された栓体６が移動自在に設けられていて、通常は水圧によって、栓体６は押し上げられて水を通すが、逆流発生時には、栓体６は通水口８に密着して逆流を阻止する。栓本体１の流入側には、止水用の副栓部２が付いていて、流路の開閉が可能である。栓本体１の流入側と流出側とには、それぞれ伸縮自在な連結部３，４が付いている。【選択図】  図１
0003132604.tif 000002
【実用新案登録請求の範囲】
【請求項１】
栓本体の栓胴内に位置する栓体が、水の流れ方向に対して、傾いて上下移動する、傾斜型止水栓において、栓本体の流入側に止水用の副栓部が設けられている、傾斜型多機能止水栓。
【請求項２】
副栓部の副栓体がボール形式であり、この副栓体を９０度回転させることによって、流水路が開閉する、請求項１記載の傾斜型多機能止水栓。
【請求項３】
栓本体の流入・流出側にそれぞれ伸縮自在な連結部が設けられている、請求項１記載の傾斜型多機能止水栓。
【請求項４】
栓体が、ポリフェニレンサルファイド樹脂製で、通水口と接触する面にはゴム層が付着されている、請求項１記載の傾斜型多機能止水栓。
【考案の詳細な説明】
【技術分野】
【０００１】
この考案は、栓の作動軸線が、水の流れ方向に対して傾斜している、水道用などに用いる逆流防止型の止水栓の改良に関する。
【背景技術】
【０００２】
従来、栓の作動軸線を、水の流れ方向に対して傾斜させた、逆止機能付きの止水栓は、既に本考案者によって実用新案登録第３０４１３３３号として、提案されている。（特許文献１参照）  この止水栓は、通常型では、栓の作動軸線は、水の流れの方向に対して直交する向きに設けられるのを、流れの方向に約４５度傾けたもので、これにより損失水頭が小さくなって、低水圧箇所にも使用できるようにしたものである。
【特許文献１】実用新案登録第３０４１３３３号公報
【考案の開示】
【考案が解決しようとする課題】
【０００３】
ところが、前記の従来の止水栓には、使用時の取扱い、特に、損耗した部品の交換などの際の取扱いに不便がある。即ち、部品の交換時には、栓を分解して、栓棒を抜き取ったり、栓体を取り外したりする必要があり、この為には栓内の水流を止めなければならない。しかし、従来のものでは、栓内の水流を簡単に止めることができないので、交換作業に手間取るという問題がある。その上、従来のものでは、逆流防止作動をする栓体が金属製であったため、作動が遅くて、適格な逆流防止ができないという欠点があった。
【０００４】
本考案は、このような点に鑑み、栓本体に、止水用の副栓を別に取付けることによって、部品の交換時などには簡単に水流を止めて、作業ができるようにした、傾斜型多機能止水栓を提供することにある。更に、本考案は、栓体の素材を合成樹脂製にして、栓体が水流によってスムースに動くようにした、傾斜型多機能止水栓を提供することにある。
【課題を解決するための手段】
【０００５】
本考案の傾斜型多機能止水栓の技術的手段は、栓本体の栓胴内に位置する栓体が、水の流れ方向に対して、傾いて上下移動する、傾斜型止水栓において、栓本体の流入側に止水用の副栓部が設けられていることにある。
【０００６】
また、副栓部の副栓体をボール形式にし、この副栓体を９０度回転させることによって、流水路を開閉させるようにしてもよい。更に、栓本体の流入・流出側にそれぞれ伸縮自在な連結部を設けてもよい。また、栓体を、ポリフェニレンサルファイド樹脂製とし、通水口と接触する面にはゴム層を付着させるようにしてもよい。
【考案の効果】
【０００７】
本考案の傾斜型多機能止水栓には、副栓部が別個に付いているので、部品の交換時などの栓の分解作業時には、副栓部を閉にして、簡単に栓本体への水流を遮断でき、部品の交換作業などを簡単に行うことができる。
【０００８】
請求項２のものでは、副栓部がボール式であるから、簡単な構造で、流路の開閉を確実に行うことができる。
【０００９】
請求項３のものでは、栓本体の両側の連結部が、伸縮自在であるから、管路への止水栓の組み込み作業が簡単に行える。
【００１０】
請求項４のものでは、栓体がポリフェニレンサルファイド製であるから、金属製に比べて軽く、かつ、摩擦係数が小さく、その上、水垢などの影響を受けないので、逆流防止作動時の栓体の動きがスムースで、逆流に対して迅速かつ適格な対応が可能である。また、接触面には、ゴム層が付いているので、通水口との密着性に優れている。
【考案を実施するための最良の形態】
【００１１】
本考案を実施するための最良の形態を、以下に図面の実施例に基づいて説明する。図１には、本考案の止水栓の全体が示されている。１は栓本体、２は止水用の副栓部、３は流入側の連結部、４は流出側の連結部である。栓本体１には、栓胴５の内部に栓体６が移動自在に設けられ、また、この栓体６の動きを調整するための操作ハンドル７が付いている。また、栓胴５は、水の流れの方向に傾斜（実施例では約４５度）させてある。これにより、栓内を流れる水の迂回距離が短くなり、損失水頭を少なくできる。
【００１２】
栓胴５の内部には、通水口８が斜めに設けられていて、ここに栓体６が密着・離間して、通水口８を開閉する。１０は栓棒で、栓胴５に回転自在に取付けられていて、ハンドル７によって、回転操作可能である。栓棒１０には栓体押え１１が螺合していて、栓棒１０が回転させられると、栓体押え１１は斜め方向に上下移動する。栓体６と栓体押え１１との間には、コンルバネ１２が介装されている。この為、栓体６には、常にコイルバネ１２による背面押圧力が作用し、閉栓方向に付勢されている。しかし、コイルバネ１２の力は弱いので、通常の場合は水圧によって、栓体６が押し開けられ、水は流れることができる。ただし、逆流が発生した場合には、栓体６が通水口８を塞いで、逆流を阻止する。また、ハンドル７の回転操作によって、栓体押え１１の位置を変えることができる。即ち、栓体６の移動代を変え、水の通水量を調節できるのである。これにより、止水栓の特徴の一つとして、流量の調節が簡単に行えるようになる。
【００１３】
栓体６の詳細は、図２に示されている。その本体部の材質は合成樹脂で、実施例ではポリフェニレンサルファイド（ＰＰＳ）を用いている。このＰＰＳは、耐熱性が高くて、寸法精度・寸法安定性が非常に良く、高強度・高靭性である他、成型性、耐薬品性、電気特性、難燃性にも優れている。更に、金属の一般的な摩擦係数は、約０．４であるのに対して、ＰＰＳの摩擦係数は、約０．２５である。これにより栓体６は、従来の金属製に比べて、重量が軽く、かつ、摩擦抵抗が極めて小さいので、栓体６の摺動移行がスムースになり、その上、水垢などの影響を受けないなど、栓体として優れた性能を発揮する。また、栓体６の接触面には、水道用ゴム材によるゴム層１３が焼付け付着されている。従って、通水口８への密着性が良くなる。
【００１４】
止水用の副栓部２では、栓胴５の内部にボール型の副栓体１５が封入され、ボール押え１６で保持されている。１７は、ボールとの密着性を高めるためのボールシートである。このボール型の副栓体１５を９０度回転させることによって、流水路の開閉が可能である。図３に示されるように、副栓体１５には、副栓棒１８が取付けられていて、この副栓棒１８を操作工具１９で回転させて開閉操作をする。なお、この操作工具１９は着脱自在であり、必要時のみ取付ける。
【００１５】
栓本体の流入側では、副栓部２のボール押え１６の先に、連結部３が付いている。この連結部３は伸縮自在形式であり、短管２１は長手方向に移動可能である。また、栓本体の流出側では、栓胴５の流出口に連結部４が付いている。この連結部も伸縮自在で、短管２２は長手方向に移動可能である。
【００１６】
図１において、２３は、栓胴５に形成されたドレン抜き孔で、通常はボルトで遮蔽されていて、必要時に開いて、栓内のドレンを抜き取る。２４は、栓棒１０に形成された空気抜き孔で、通常はボルトで遮蔽されていて、必要時に開いて、栓内の空気を抜き取る。また、この空気抜き孔２４には、必要に応じて、水圧計を取付けて、栓内の水圧の測定にも利用できる。
【００１７】
次に、本考案の止水栓の作動について説明する。まず、通常の使用時には、副栓部２は開いたままで使用する。操作工具１９も取り外しておく。この状態で、操作ハンドル７を締め込みの方に回す。もっとも締め込んだ状態では、栓体押え１１が最降下して、栓体６の背面を押すようになり、栓体６は通水口８に密着し、通水口８を完全に遮蔽する。この状態では水は流れない。次に、操作ハンドル７を緩め方向に回すと、栓体押え１１が上昇して、栓体６は移動可能になる。栓体６の背面には、コンルバネ１２による押圧力が作用しているが、その力は弱いので、水圧によって栓体６は押し上げられ、水は通水口８を通って流れることができる。また、ハンドル７の回転操作によって、栓体押え１１の位置を移動させ、栓体６の移動代を変えることにより、止水栓としての、水の流量の調節を簡単に行える。
【００１８】
本考案では、栓胴５が、流水方向に傾斜しているので、水の流れる迂回距離は、従来の直立状態のものより小さくて、損失水頭は少なくなる。この為、本考案の止水栓は、低水圧の箇所にも使用可能である。更に、栓体６は合成樹脂製で、従来の金属製のものより軽量であり、また、実施例のように、その材質をＰＰＳにしたものでは、摩擦係数が小さく、水垢の影響も受けないので、栓体の動きが軽快で、作動がスムースになる。
【００１９】
止水栓の内部の栓体などの交換の際には、副栓部２を閉める。操作工具１９を副栓棒１８に結合させて、９０度回転させると、ボール型の副栓体１５が流水路を閉じる。これにより栓内部の流水がなくなって、栓本体１の分解が可能となり、栓体６などの内部部品の交換を簡単に行うことができる。交換が終われば、操作工具１９を回して、副栓部２を再び開の状態にし、操作工具１９を取り外して、通常の使用状態に戻す。
【００２０】
本考案は、前記の実施例に限定されるものではなく、実用新案登録請求の範囲の記載の範囲内で自由に変形実施可能である。特に、副栓部の構造、合成樹脂製の栓体の材質、伸縮自在な連結部の構造などは自由である。
【図面の簡単な説明】
【００２１】
【図１】本考案の止水栓の全体を示す断面図。
【図２】栓体の拡大断面図。
【図３】副栓部の断面図。
【符号の説明】
【００２２】
１          栓本体
２          副栓部
３          流入側の連結部
４          流出側の連結部
５          栓胴
６          栓体
８          通水口
１０        栓棒
１１        栓体押え
１２        コンルバネ
１３        ゴム層
１５        副栓体
１６        ボール押え
１８        副栓棒
１９        操作工具
２１，２２  短管
【図１】
0003132604.tif 000003
【図２】
0003132604.tif 000004
【図３】
0003132604.tif 000005